(57)【特許請求の範囲】
【請求項１】
筐体の側面に開口した収容部と、
前記側面から前記筐体の裏面に延びて、前記収容部を前記筐体の裏面側と連通させた切欠部と、        
球状部を基端に備えたフックと、
前記収容部に備えられて前記球状部を回転可能に支持した支持部と、
前記収容部の内側面に形成されて、前記収容部に収容された前記フックを係止する第１の係止部と、
前記筐体の裏面側を向いた前記収容部の内側面に形成されて、前記開口から突出した前記フックの基端部を係止する第２の係止部とを備えることを特徴とする秤。
【請求項２】
前記第２の係止部は、前記フックの基端部を前記筐体の裏面側に付勢する付勢部材と、
前記筐体の表面側を向いた前記収容部の内側面に形成され、前記付勢部材により付勢された前記フックの基端部が嵌合する嵌合溝とから構成されることを特徴とする請求項１に記載の秤。
【請求項３】
前記フックは、直線状に延びた前記基端部から鉤爪部が延びたＳ字状フックであることを特徴とする請求項１又は２に記載の秤。
【請求項４】
前記基端部は、前記球状部の付け根に縮経部を備えることを特徴とする請求項１〜３の何れかに記載の秤。
【発明の詳細な説明】
【技術分野】
【０００１】
本発明は、壁等に掛けられる秤に関する。
【背景技術】
【０００２】
秤には、下記の非特許文献１，２に示すようにフック孔を備えたものがある。この秤は、壁に固定されたフックにフック孔で掛けられる。フック孔は、筐体に取り付けられたスライド板に設けられている。スライド板は、筐体に形成された開口から筐体の外部に延びており、未使用時には筐体裏面に設けられた収納部に収納されている。スライド板は、フック孔の使用時には開口を通して筐体の側方に引き出される。
【先行技術文献】
【非特許文献】
【０００３】
【非特許文献１】株式会社タニタ”製品紹介  クッキングスケール  ＫＤ−１９１”、［ｏｎｌｉｎｅ］、２０１０年９月１日インターネット掲載、株式会社タニタ、［平成２３年１１月１８日検索］、インターネット（ＵＲＬ：http://www.tanita.co.jp/products/kurashi/cooking/kd191/index.html）
【非特許文献２】株式会社タニタ”製品紹介  クッキングスケール  ＫＤ−１９２”、［ｏｎｌｉｎｅ］、２０１０年１０月１３日インターネット掲載、株式会社タニタ、［平成２３年１１月１８日検索］、インターネット（ＵＲＬ：http://www.tanita.co.jp/products/kurashi/cooking/kd192/index.html）
【発明の概要】
【発明が解決しようとする課題】
【０００４】
この種の秤では、フック孔を掛けるフック等を壁等に設けなければならず、秤を掛けられる場所が限られていた。
【０００５】
本発明は斯かる課題に鑑みてなされたもので、上記課題を解決できる秤を提供することを目的とする。
【課題を解決するための手段】
【０００６】
このような目的を達成するために、本発明の秤は、筐体の側面に開口した収容部と、前記側面から前記筐体の裏面に延びて、前記収容部を前記筐体の裏面側と連通させた切欠部と、球状部を基端に備えたフックと、前記収容部に備えられて前記球状部を回転可能に支持した支持部と、前記収容部の内側面に形成されて、前記収容部に収容された前記フックを係止する第１の係止部と、前記筐体の裏面側を向いた前記収容部の内側面に形成されて、前記開口から突出した前記フックの基端部を係止する第２の係止部とを備えることを特徴とする。
また、本発明は、前記第２の係止部は、前記フックの基端部を前記筐体の裏面側に付勢する付勢部材と、前記筐体の表面側を向いた前記収容部の内側面に形成され、前記付勢部材により付勢された前記フックの基端部が嵌合する嵌合溝とから構成されることを特徴とする。
また、本発明は、前記フックは、直線状に延びた前記基端部から鉤爪部が延びたＳ字状フックであることを特徴とする。
また、本発明は、前記基端部は、前記球状部の付け根に縮経部を備えることを特徴とする。
【発明の効果】
【０００７】
本発明によれば、収容部の開口から突出させたフックを回転させて筐体に対する姿勢を変えられることから、様々な場所に秤を掛けられる。
【図面の簡単な説明】
【０００８】
【図１】本発明の一実施形態の秤を示す斜視図である。
【図２】図１の収容部内を拡大して示す一部破断斜視図である。
【図３】図１の収容部内を拡大して示す部分断面図である。
【図４】フックの動作を示す図である。
【図５】収容部を拡大して示す図であり、（ａ）は背面図，（ｂ）は断面図である。
【図６】収容部を拡大して示す図であり、（ａ），（ｂ）は開口側の側面図，（ｃ）は断面図である。
【図７】壁面に掛けられた秤を示す図であり、（ａ）は斜視図，（ｂ）は側面図である。
【図８】床面に置かれた秤を示す図である。
【発明を実施するための形態】
【０００９】
以下、図面を参照して、本発明の一実施形態を説明する。
【００１０】
図１に示す秤１は、筐体２の側面にフック３の収容部４を開口させている。筐体２の裏面側には、収容部４を筐体２の裏面側と連通させる切欠部２１が形成されている。切欠部２１は、収容部４が開口した側面から延びている。
【００１１】
フック３は、図２に示すように、直線状の基端部３１から鉤爪部３２が円弧状に延びたＳ字状フックであり、基端には球状部３３が備えられている。基端部３１における球状部３３の付け根には、図３に示すように、縮経部３１ａが設けられている。収容部４内には、フック３の球状部３３を回転可能に支持する支持部４１が備えられている。フック３は、球状部３３を中心として図４（ａ）に示すように矢印Ａ，Ｂ方向に回転し、図４（ｂ）に示すように矢印Ｃ，Ｄ方向に回転し、図４（ｃ）に示すように矢印Ｅ，Ｆ方向に回転する。
【００１２】
筐体２の裏面側を向いた収容部４の内側面には、図２に示すように、第１の係止部４２及び付勢部材４３が形成されている。第１の係止部４２は、図５に示すように、収容部４の延設方向側から収容部４が開口した筐体２の側面側に向けて延びたコの字状の孔を、筐体２の裏面側を向いた収容部４の内側面に設けて構成された可撓部材である。第１の係止部４２の先端部には、断面山形の係止凸部４４が備えられている。第１の係止部４２は、収容部４に収容されたフック３の基端部３１を係止する。
【００１３】
付勢部材４３は、図５に示すように、収容部４の開口した筐体２の側面に沿って延びたコの字状の孔を、筐体２の裏面側を向いた収容部４の内側面に設けて構成された可撓部材である。付勢部材４３は、図６に示すように、筐体２の裏面側を向いた面を収容部４内に膨出させている。付勢部材４３は、筐体２の裏面側を向いた収容部４の内側面からの膨出量を、基端側にかけて徐々に増やした三角形状の断面を有している。付勢部材４３は、収容部４の開口から突出したフック３を筐体２の裏面側に付勢する。
【００１４】
筐体２の表面側を向いた収容部４の内側面には、図６に示すように、嵌合溝４５が形成されている。嵌合溝４５は、収容部４が開口した筐体の側面側に突出したフック３の基端部３１が嵌合するよう、収容部４が開口した筐体２の側面側から徐々に断面を小さくした略半円形状を呈している。嵌合溝４５には、図６（ｂ），（ｃ）に示すように、付勢部材４３で付勢されたフック３の基端部３１が嵌合する。付勢部材４３及び嵌合溝４５は、第２の係止部を構成している。
【００１５】
次に、収容部４にフック３を出し入れする際の動作について説明する。
フック３を使用する際には、切欠部２１から収容部４内に指を入れて収容部４に収容されたフック３を摘み、図４（ａ）に示すように矢印Ａ方向に回転させる。収容部４に収容されたフック３は、第１の係止部４２で基端部３１が係止されて、矢印Ａ方向への回転が規制されているが、この操作により第１の係止部４２による係止が解かれる。
【００１６】
フック３の基端部３１が筐体２の側面に直交するまで矢印Ａ方向に回転すると、フック３の基端部３１が付勢部材４３に押圧されて、図４（ｂ）に示すように矢印Ｃ方向に回転し、嵌合溝４５内に押し込まれる。これにより、フック３の基端部３１が嵌合溝４５に嵌合して、矢印Ａ，Ｂ方向及び矢印Ｃ，Ｄ方向への回転が規制される。続いて、図４（ｃ）に示すように矢印Ｅ又はＦ方向にフック３を回転させて、鉤爪部３２の先端を筐体２の裏面側に向ける。筐体２の裏面側を向いた鉤爪部３２の先端は、筐体２の裏面よりも裏側に位置している。
【００１７】
フック３は、壁等に掛けられる際に球状部３３を中心として図４（ｂ）の矢印Ｃ，Ｄ方向及び図４（ｃ）の矢印Ｅ，Ｆ方向に回転し、筐体２に対する姿勢を変えられる状態となっている。また、フック３の先端を図４（ｃ）の矢印Ｅ，Ｆ方向に回転させて、図４（ａ）に示すように筐体２の側方に向けることで、筐体２の側面からフック３が突出した状態で秤１を使用することもできる。
【００１８】
本実施形態によれば、フック３を回転させて収容部４から筐体２の側方に突出させることで、棒状体等に秤１を吊り下げることができる。フック３の鉤爪部３２を図４の矢印Ｅ，Ｆ方向のどの方向にも向けられることから、様々な場所に秤１を掛けられ、Ｓ字フック等の設置されていない箇所に簡単に掛けることができ、取り外すのも容易となる。また、フック３は収容部４に収容できるので、使用時等に邪魔になるのを防止できる。また、収容部４を筐体２の内部と隔てることができるので、筐体２内にゴミ等が進入するのを防止できる。
【００１９】
また、本実施形態によれば、付勢部材４３でフック３の基端部３１を筐体２の裏面側に付勢して嵌合溝４５に嵌合させることで、フック３を筐体２の裏面側に傾斜させられることから、フック３の大型化を抑えることができる。
【００２０】
また、図７に示すように、筐体２の表面側への付勢部材４３の撓みが解けてフック３が筐体２の裏面側（図７の矢印Ｃ方向）に傾くことで、筐体２の裏面を壁面６等にフィットさせた状態に保てる。このため、フック３で吊り下げられた筐体２を揺れにくくすることができる。しかも、図８に示すように、筐体２の表面側に付勢部材４３が撓んでフック３が筐体２の表面側（図８の矢印Ｄ方向）に傾くことで、筐体２の裏面を床面７にフィットさせられるので、フック３を筐体２の側方に突出させた状態で計量を行うことができる。
【００２１】
また、本実施形態によれば、フック３がＳ字状フックなので、Ｕ字状フックの場合のように筐体２の幅方向のセンターに対するフック３のセンターのズレが生じるのを防止できる。
【００２２】
また、本実施形態によれば、フック３の基端部３１が球状部３３の付け根に縮経部３１ａを備えることから、支持部４１から球状部３３が抜け出し難くしつつ、筐体２の裏面側へのフック３の傾斜角度を大きくとることができる。
【００２３】
なお、上記実施形態では、フック３としてＳ字状フックを用いた場合について説明したが、フック３の形状は任意である。また、切欠部２１の形状は、収容部４を筐体２の裏面側と連通させて収容部４内からフック３を引き出せるよう構成されていれば任意である。また、収容部４に収容されたフック３を係止できるのであれば、第１の係止部４２の構成は任意であり、収容部４の内側面に孔を設けて構成されたものには限定されない。
【００２４】
また、収容部４の開口から突出したフック３の基端部３１を係止できるのであれば、第２の係止部の構成は任意であり、付勢部材４３と嵌合溝４５とから構成されたものには限定されない。また、付勢部材４３の構成は、フック３の基端部３１を筐体２の裏面側に付勢できるのであれば任意であり、収容部４の内側面に孔を設けて構成されたものには限定されない。
【符号の説明】
【００２５】
１      秤
２      筐体
２１    切欠部
３      フック
３１    基端部
３１ａ  縮経部
３２    鉤爪部
３３    球状部
４      収容部
４１    支持部
４２    第１の係止部
４３    付勢部材
４４    係止凸部
４５    嵌合溝
６      壁面
７      床面
【図１】
0005392867.tif 000002
【図２】
0005392867.tif 000003
【図３】
0005392867.tif 000004
【図４】
0005392867.tif 000005
【図５】
0005392867.tif 000006
【図６】
0005392867.tif 000007
【図７】
0005392867.tif 000008
【図８】
0005392867.tif 000009